【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
基になる皮革繊維と、溶融可能な外層を備えた添加合成繊維とからなる混合繊維からシート材を形成する方法であって、
前記繊維から１つのウェブを形成するステップと、
前記添加合成繊維が交差部で互いに融合して、前記ウェブ内に網目状構造を形成するように、前記添加合成繊維の前記外層を溶融させるために加熱するステップと、
前記網目状構造によって前記皮革繊維を拘束しながら前記皮革繊維を交絡させるために前記ウェブに対して交絡を行うステップとからなる方法。
【請求項２】
前記交絡が水流交絡である請求項１に記載の方法。
【請求項３】
前記網目状構造に浸透する液体の複数の高圧ジェット流によって前記水流交絡を行う請求項２に記載の方法。
【請求項４】
前記ウェブの対向する両側から液体の複数の高圧ジェット流を適用して、水流交絡を行う請求項２または３に記載の方法。
【請求項５】
液体の複数の高圧ジェット流によって前記水流交絡を行い、跳ね返った水を受ける受水構造を設けた請求項２から４のいずれか１項に記載の方法。
【請求項６】
液体の複数の高圧ジェット流によって前記水流交絡を複数のパスで行う請求項２から５のいずれか１項に記載の方法。
【請求項７】
前記液体が水である請求項３から６のいずれか１項に記載の方法。
【請求項８】
前記パスの少なくとも１つで前記ウェブと前記複数のジェット流の間に１つのスクリーンまたは複数のスクリーンを設けて前記水流交絡を行う請求項３から７のいずれか１項に記載の方法。
【請求項９】
前記スクリーンが少なくとも６０％開口している請求項８に記載の方法。
【請求項１０】
前記スクリーンが前記複数のジェット流のピッチと同じピッチを有する複数の開口を備えている請求項８または９に記載の方法。
【請求項１１】
前記スクリーンが、水流交絡を行う複数のジェット流によって複数の溝が形成されるのを十分に防ぐようになっている請求項８から１０のいずれか１項に記載の方法。
【請求項１２】
前記水流交絡が、６ｍ／ｍｉｎよりも速い速度で進むウェブに対し行われる請求項２から１１のいずれか１項に記載の方法。
【請求項１３】
前記基になる繊維の少なくとも９０％が、最長６ｍｍの繊維である請求項２から１２のいずれか１項に記載の方法。
【請求項１４】
前記添加合成繊維が、最長１０ｍｍの繊維である請求項２から１３のいずれか１項に記載の方法。
【請求項１５】
前記添加合成繊維が、前記混合繊維の重量の２％から１０％を構成する請求項２から１４のいずれか１項に記載の方法。
【請求項１６】
前記添加合成繊維が、前記混合繊維の重量の最大５％を構成する請求項２から１４のいずれか１項に記載の方法。
【請求項１７】
前記添加合成繊維が、１．７から３．０dtexの範囲内にある請求項２から１６のいずれか１項に記載の方法。
【請求項１８】
前記添加合成繊維が、内部のコアよりも低い融点を持つ外層を有するバイコンポーネント繊維である請求項２から１７のいずれか１項に記載の方法。
【請求項１９】
前記外層がポリエチレンであり、前記内部のコアがポリエステルまたはポリプロピレンである請求項１８に記載の方法。
【請求項２０】
前記混合繊維が、溶融して融合することのない別の添加合成繊維も含む請求項２から１９のいずれか１項に記載の方法。
【請求項２１】
前記別の添加合成繊維が、１．０dtex未満である請求項２０に記載の方法。
【請求項２２】
前記別の添加繊維が、材料の５重量％から２０重量％を構成する請求項２０または２１に記載の方法。
【請求項２３】
前記皮革繊維長が、３ｍｍ未満である請求項１またはそれらに従属するいずれかの請求項に記載の方法。
【請求項２４】
前記添加合成繊維の前記外層が、前記ウェブに熱い空気を通すことにより溶融する請求項１から２３のいずれか１項に記載の方法。
【請求項２５】
前記熱い空気が前記ウェブを通って流れる間、前記ウェブが複数の多孔質ベルトの間に保たれる請求項２４に記載の方法。
【請求項２６】
前記水流交絡が行われたウェブの前記表面を加熱して、前記表面で前記添加合成繊維を溶融させる請求項１から２５のいずれか１項に記載の方法。
【請求項２７】
前記交絡されたウェブの前記表面にバフ研磨を行う請求項１から２６のいずれか１項に記載の方法。
【請求項２８】
前記ウェブの前記表面を前記加熱する前に、前記交絡されたウェブの前記表面にバフ研磨を行う請求項２６に記載の方法。
【請求項２９】
２つに分けられた前記ウェブが、水流交絡の前に補強布からなる対向する両側部で一体化される請求項１から２８のいずれか１項に記載の方法。
【請求項３０】
前記基になる繊維が、前記補強布と交絡する請求項２９に記載の方法。
【請求項３１】
前記ウェブ（または各ウェブ）が前記網目状構造を形成した後リールに巻かれ、前記ウェブがそのようなリールから引き出されて前記交絡が行われる請求項１から３０のいずれか１項に記載の方法。
【請求項３２】
前記網目状構造の前記融合した交差部が、交絡により少なくとも部分的に破壊されている請求項１から３１のいずれか１項に記載の方法。
【請求項３３】
前記網目状構造は大部分開口しており、そのため前記網目状構造の固体部分がその構造において占める割合が小さい請求項１から２９のいずれか１項に記載の方法。
【請求項３４】
前記添加合成繊維が溶融した後で且つ前記交差部で融合し且つ固化する前に、前記混合繊維が圧縮される請求項１から３３のいずれか１項に記載の方法。
【請求項３５】
請求項１から３４のいずれか１項に記載の前記方法を使用して形成されたシート材料。
【請求項３６】
基になる皮革繊維からなる、交絡した複数の繊維の少なく１つのボディからなるシート材であって、前記皮革繊維が貫通するようにボディ内に透かし構造が広がり、前記透かし構造が交差部で融合する前記添加合成繊維の網目状構造により決定され、前記網目状構造が前記シート材料に占める重量割合が小さいシート材料。
【請求項３７】
前記皮革繊維が、最長６ｍｍの繊維である請求項３６に記載のシート材料。
【請求項３８】
前記添加合成繊維の９０％が、最長１０ｍｍの繊維である請求項３６または３７に記載のシート材料。
【請求項３９】
前記添加合成繊維が、前記シート材料の重量の１０％を構成する請求項３６から３８のいずれか１項に記載の方法。
【請求項４０】
前記添加合成繊維が、前記シート材料の重量の最大５％を構成する請求項３９に記載のシート材料。
【請求項４１】
前記添加合成繊維が、内部のコアより低い融点を有する外層を備えたバイコンポーネント繊維である請求項３６から４０のいずれか１項に記載の方法。
【請求項４２】
前記外層がポリエスチレンであり、前記内部のコアがポリエステルまたはポリプロピレンである請求項４１に記載のシート材料。
【請求項４３】
前記添加繊維が１．７から３．０dtexの範囲内にある請求項３６から４２のいずれか１項に記載のシート材料。
【請求項４４】
前記交絡した繊維のボディもまた溶融して融合することのない別の添加合成繊維を含む請求項３６から４３のいずれか１項に記載のシート材料。
【請求項４５】
前記別の添加合成繊維が、１．０dtex未満である請求項３６から４４のいずれか１項に記載のシート材料。
【請求項４６】
前記別の添加合成繊維が、前記シート材料の２０％重量未満を構成する請求項４４または４５に記載のシート材料。
【請求項４７】
前記皮革繊維が、繊維長が３ｍｍ未満である請求項３６から４６のいずれか１項に記載の方法。
【請求項４８】
前記網目状構造が大部分開口しており、そのため前記網目状構造の固体部分がその構造において占める割合が小さい請求項３６から４７のいずれか１項に記載の方法。
【請求項４９】
繊維層からなる対向する両側部で、一体化された２つの前記ボディからなる請求項３６から４８のいずれか１項に記載のシート材料。
【請求項５０】
前記皮革繊維が前記繊維層を貫通する請求項４９に記載のシート材料。
【請求項５１】
前記（各）ボディが、外側の表面においてよりも補強層に隣接して前記別の添加合成材をより高い割合で含有する請求項４９または５０及び請求項４４またはこれに従属する請求項に記載のシート材料。